(57)【特許請求の範囲】
【請求項１】
一端面が主印字面(11)、他端面がこの主印字面(11)により捺印される主印影と同形の主表示部(12)とされ、且つ、横断面形状がいずれの部分においても等しい形状となる柱状印字部(1) の外周を、これと同長の筒軸部(2) により一体に囲んで、一端がこの筒軸部(2) の一端の輪郭用印字面(21)により柱状印字部(1) の主印字面(11)を囲んだ印字面(3) に形成されるとともに、他端が筒軸部(2) の他端の輪郭用表示面(22)により柱状印字部(1) の主表示部(11)を囲んだ印影表示面(4) に形成されている連通孔付棒状体であることを特徴とする印材。
【請求項２】
柱状印字部(1) と筒軸部(2) の少なくとも一方が透明合成樹脂材よりなる請求項１に記載の印材。
【発明の詳細な説明】
【技術分野】
【０００１】
本発明は印字が曲がらず真っ直ぐに捺印でき、また、多数本を印箱に並べて収納したときにも、その中から使用すべきものを迅速に選択することができる印判とすることのできる印材に関するものである。
【背景技術】
【０００２】
従来の印判は、印軸の下端面に得ようとする印影とは逆の印字面を刻印したものであるため、捺印操作を行うときに捺印者が上側から印字面の正しい位置を確認できないこととなって、印字を曲がらず真っ直ぐに捺印でき難いものであった。そこで、捺印者が上側から印字面の正しい位置を確認できるように、印軸の一端面や軸回りに目印となる凹凸を付けておくなどしてあるが、このような目印を設けてもよほど注意して捺印しない限り正しい印影を的確に得難いものである。また、前記した目印では、同じような印判を並べてある印箱から必要なものを選択するときに１本ずつ印箱から抜き出して印字面を反転して確認しなければならないという不便があった。そこで、実公平２−２３４１４号公報などに見られるように、一端面に印字面を刻印してある印軸の他端面にこの印字面により捺印してある印影のある表示紙などを貼り付けて印字面に対応する表示面を形成したものも多々あるが、表示紙などを貼り付けたものは使用中に表示紙などが剥離したり表示面が摩滅し、長期間にわたる表示機能は期待できないものであった。さらに、印材の材質によっては長年の使用により印字面が磨耗して鮮明な捺印が得られなくなるため、印材として刻印に手数を要するうえに比較的高価な象牙や水牛の角などの骨類や水晶などの鉱石類或いはチタンなどの硬質金属類その他の硬質材に限られ、安価で体裁のよい透明合成樹脂は殆ど使用されていない現状であった。
【特許文献１】実公平２−２３４１４号公報
【発明の開示】
【発明が解決しようとする課題】
【０００３】
本発明が解決しようとするところは、前記のような問題をなくし、安価で体裁のよい透明合成樹脂その他比較的加工しやすい低硬度の材料を用いても、長年にわたり印字が曲がらず真っ直ぐに押せる機能を備えており、また、多数本を印箱に並べて収納したときにも、その中から使用すべきものを迅速に選択することができる印判を提供するための安価な印材を目的とするものである。
【課題を解決するための手段】
【０００４】
前記のような課題を解決した本発明の印材は、一端面が主印字面、他端面がこの主印字面により捺印される主印影と同形の主表示部とされ、且つ、横断面形状がいずれの部分においても等しい形状となる柱状印字部の外周を、これと同長の筒軸部により一体に囲んで、一端がこの筒軸部の一端の輪郭用印字面により柱状印字部の主印字面を囲んだ印字面に形成されるとともに、他端が筒軸部の他端の輪郭用表示面により柱状印字部の主表示部を囲んだ印影表示面に形成されている連通孔付棒状体であることを特徴とするものである。なお、前記した発明における柱状印字部と筒軸部のいずれかを透明合成樹脂材よりなるものとすれば、透明合成樹脂を通じて透視できるので興趣深いものとすることができる。
【発明の効果】
【０００５】
本発明は、そのまま或いは所要長さに切断したうえ必要に応じて装飾外套などに組み込んで印判とし、筒軸部を通常の印判の印軸と同様に把持し、捺印しようとする紙面などの被捺印面に印字面をあてがって押し付けることにより捺印するものであるが、本発明は、一端面が主印字面、他端面がこの主印字面により捺印される主印影と同形の主表示部とされ、且つ、横断面形状がいずれの部分においても等しい柱状印字部の外周を、これと同長の筒軸部により一体に囲んだ連通孔付棒状体であって、その一端がこの筒軸部の一端の輪郭用印字面によって前記した主印字面を囲んだ印字面に形成されるとともに、他端が筒軸状部の他端の輪郭用表示面により主表示部を囲んだ印影表示面に形成されているから、筒軸部を把持した捺印者は連通孔付棒状体の他端に形成されていて自然に目に入る印影表示面により見えない印字面の位置を確認しながら捺印すれば、曲がることなく印影表示面と同じ角度で寸分変わらない印影を得ることができる。
【０００６】
しかも、印字面は所要深さを刻印したのではなく、印字面を除く部分は一端から他端にわたる連通孔とされているので、印面掃除をしなくても朱肉詰まりが生じることがなくて鮮明な連続捺印を続けることができ、また、連続使用により印字面が磨滅しても再生されるので長期耐用できるものとなる。さらに、横断面形状がいずれの部分においても等しい形状となるので、長い印材を成形してこれを所要長さに切断して同じ印影のものを多数個制作することもできる。また、このようにして得られた印判の多数本を印箱に並べて収納したときにも、連通孔付棒状体の他端に形成されている印影表示面により必要とする印判を即座に知ることができるので、印箱内より使用すべきものを迅速に選択することができる。なお、柱状印字部と筒軸部の少なくとも一方を透明合成樹脂材よりなるものとしておけば、見栄えがよくて極めて興趣深いものとなり、特に、柱状印字部を透明合成樹脂材よりなるものとしておけば、捺印時に上から下まで透視できるので印字面の確認が一層容易となって適正な捺印角度をより確実に知ることができる。
【０００７】
次に、本発明の好ましい実施の形態を図に基づいて詳細に説明する。
図において、１は一端面が主印字面１１に形成されるとともに、他端面がこの主印字面１１により得られる主印影と同形の主表示部１２に形成され、且つ、横断面形状がいずれの部分においても等しい形状であるアクリル樹脂などの透明な硬質合成樹脂よりなる柱状印字部であり、２はこの柱状印字部１と同長で柱状印字部１の外周を一体に囲んでいる同じくアクリル樹脂などの透明な硬質合成樹脂よりなる筒軸部であって、この筒軸部２は前記した柱状印字部１と同長でその一端面は主印字面１１を囲む輪郭用印字面２１とされるとともに、他端面は主表示面１２を囲む輪郭用表示面２２とされており、この柱状印字部１に筒軸部２が一部の連繋部分１４において一体とされて全体で垂直の連通孔５を有する蓮根状の連通孔付棒状体を構成しており、この連通孔付棒状体の一端が筒軸部２の一端の輪郭用印字面２１によって柱状印字部１の主印字面１１を囲んだ印字面３に形成されるとともに、他端が筒軸部２の他端の輪郭用表示面２２により柱状印字部１の主表示部１１を囲んだ印影表示面４に形成されていて、上から下まで印面を繋げたような形の印材となり、手に持ったときに印面を上から確認できるので、印影を曲がらずに真っ直ぐ押せる機能を有するものとなる。
【０００８】
なお、このような印材を得るには、棒状材料の一端から他端にわたりレーザー加工を施す外、射出成形法やシェル砂による鋳型造型技術、光硬化性液状樹脂や粉末樹脂、金属粉、ワックスなどの材料の性状を変化させながら積層していく３次元積層造型法（光造型法）、金属、樹脂、砂などの粉末材料をレーザーで焼結しながら積層していくレーザー焼結型Rapid prototyping 技術その他の連通孔付棒状体を製造する全ての技術を用いることにより容易に量産できることはいうまでもない。
【０００９】
このように本発明は、印字が曲がらず真っ直ぐに捺印でき、また、多数本を印箱に並べて収納したときにも、その中から使用すべきものを迅速に選択することができる印判を容易に得ることができるうえに、公知の連通孔付棒状体の製造技術を応用して簡単に得ることができるので安価に提供できるものとなる。
【図面の簡単な説明】
【００１０】
【図１】本発明の好ましい実施の形態を示す一部切欠斜視図である。
【図２】同じく上面図である。
【図３】同じく下面図である。
【図４】同じく中間で切断して示す斜視図である。
【符号の説明】
【００１１】
１  柱状印字部
11  主印字面
12  主表示面
２  筒軸部
21  輪郭用印字面    
22  輪郭用表示面
３  印字面
４  表示面
５  連通孔                                                                    
【図１】
0004711789.tif 000002
【図２】
0004711789.tif 000003
【図３】
0004711789.tif 000004
【図４】
0004711789.tif 000005